(57)【要約】【課題】本考案は、旅券の複写物を旅券とともに収容保持することができ、また、旅券の複写物の紛失を防止できるとともに損傷が生じにくく、さらには、旅券の複写物の取り扱いが容易な旅券ホルダを提供する。【解決手段】本考案は、旅券４０を収容するための旅券ケースＡと、旅券４０の複写物Ｃを収容するための複写物ケースＢとを有するものであり、上記の旅券ケースＡに複写物ケースＢをクリップ２５を介して着脱自在に着装していることを特徴としている。【選択図】図１
0003127878.tif 000002
【実用新案登録請求の範囲】
【請求項１】
旅券を収容するための旅券ケースと、旅券の複写物を収容するための複写物ケースとを有する旅券ホルダであって、
上記の旅券ケースに複写物ケースを着脱用部材を介して着脱自在に着装していることを特徴とする旅券ホルダ。
【請求項２】
複写物ケースを一枚の合成樹脂製シートにより形成していることを特徴とする請求項１に記載の旅券ホルダ。
【請求項３】
着脱用部材は、旅券ケースに複写物ケースを弾性的に着装するクリップであり、旅券ケースには、クリップを挿入するためのスリットを形成していることを特徴とする請求項１又は２に記載の旅券ホルダ。
【請求項４】
複写物ケースは、表カバーと裏カバーとの境となる境界位置に折り目を形成しているとともに、その折り目に沿って挿し込まれたクリップを中心として開閉できるようにして旅券ケースに着装されていることを特徴とする請求項３に記載の旅券ホルダ。
【請求項５】
着脱用部材は、互いに嵌合可能な凹条部と凸条部とを有するジッパであることを特徴とする請求項１又は２に記載の旅券ホルダ。
【請求項６】
合成樹脂製シートを透明なものにしていることを特徴とする請求項２〜５のいずれかに記載の旅券ホルダ。
【考案の詳細な説明】
【技術分野】
【０００１】
この考案は、旅券とともに旅券の複写物を収容保持することができる旅券ホルダに関する。
【背景技術】
【０００２】
この種の旅券ホルダとして、例えば特許文献１に記載されたものがある。
この旅券ホルダは、旅券等の表面及び裏面を覆う合成樹脂、紙製品等の材料から造られたカバー本体の内側面の少なくとも一方の側の端や隅部に剥離可能な粘着性の両面テープ又は接着剤を設けて旅券等の表紙若しくは裏表紙を剥離自在に接着して覆うようにしたものである。
【０００３】
【特許文献１】実開平６−３６６６号公報
【考案の開示】
【考案が解決しようとする課題】
【０００４】
しかしながら、特に海外においては旅券の盗難等の虞が大きいことから、旅券の提示が必要なときには、旅券の複写物を予め用意しておき、この複写物を提示することによる対抗策が防犯上有効であるが、旅券の複写物を従来の旅券ホルダや旅券自体に挟んで持ち歩いたり、旅券ホルダや旅券に挟むことなく複写物をそのまま持ち歩く場合には紛失しやすく、また、磨耗等による損傷が生じやすいという問題がある。
【０００５】
そこで本考案は、旅券の複写物を旅券とともに収容保持することができ、また、旅券の複写物の紛失を防止できるとともに損傷が生じにくく、さらには、旅券の複写物の取り扱いが容易な旅券ホルダの提供を目的としている。
【課題を解決するための手段】
【０００６】
上記目的を達成するための本考案の構成は、次のとおりである。
請求項１に記載した旅券ホルダは、旅券を収容するための旅券ケースと、旅券の複写物を収容するための複写物ケースとを有するものであり、上記の旅券ケースに複写物ケースを着脱用部材を介して着脱自在に着装していることを特徴としている。
【０００７】
請求項２に記載の旅券ホルダは、請求項１に記載の複写物ケースを一枚の合成樹脂製シートにより形成していることを特徴としている。
【０００８】
請求項３に記載の旅券ホルダは、請求項１又は２に記載した着脱用部材が、旅券ケースに複写物ケースを弾性的に挟装するクリップであり、旅券ケースには、クリップを挿入するためのスリットを形成していることを特徴としている。
【０００９】
請求項４に記載の旅券ホルダは、請求項３に記載した複写物ケースが、表カバーと裏カバーとの境となる境界位置に折り目を形成されており、その折り目に沿って挿し込まれたクリップを中心として開閉できるようにして旅券ケースに着装されていることを特徴としている。
【００１０】
請求項５に記載の旅券ホルダは、請求項１又は２に記載した着脱用部材が、互いに嵌合可能な凹条部と凸条部とを有するジッパであることを特徴としている。
【００１１】
請求項６に記載の旅券ホルダは、請求項１〜５のいずれかに記載した合成樹脂製シートを透明なものにしていることを特徴としている。
【考案の効果】
【００１２】
請求項１に記載した考案によれば、旅券の複写物を旅券とともに収容保持することができ、また、旅券の複写物の紛失を防止できるとともに損傷が生じにくく、さらには、旅券の複写物の取り扱いを容易に行うことができる。
【００１３】
請求項１に記載の考案で得られる上記の効果に加え、各請求項に記載した考案によれば、次の各効果を得ることができる。
請求項２に記載の考案によれば、複写物ケースを一枚の合成樹脂製シートにより形成しているので、簡易な構成にすることができる。
【００１４】
請求項３に記載の考案によれば、旅券ケースに複写物ケースをクリップによって弾性的に着装しているので、簡易な構造にし複写物ケースの脱着を弾性力を利用して容易に行うことができるとともに、クリップを挿入するためのスリットを旅券ケースに形成しているので、クリップが不時に脱落することを防止できる。
【００１５】
請求項４に記載の考案によれば、複写物ケースの表カバーと裏カバーとの境となる境界位置に折り目を形成しているとともに、その折り目に沿って挿し込まれたクリップを中心として開閉できるようにして旅券ケースに着装されているので、旅券ケースに複写物ケースを着装した状態のまま、複写物ケースに収容された旅券の複写物を確認することができる。
【００１６】
請求項５に記載の考案によれば、互いに嵌合可能な凹条部と凸条部とを有するジッパにより旅券ケースに複写物ケースを着脱自在に装着しているので、装着面積を大きくすることができ、旅券ケースと複写物ケースとをより安定して装着しておくことができる。
【００１７】
請求項６に記載の考案によれば、合成樹脂製シートを透明なものにしているので、複写物ケース内に旅券の複写物が収容されているか否かを容易に確認することができる。
【考案を実施するための最良の形態】
【００１８】
以下に、本考案を実施するための最良の形態について、図面を参照して説明する。図１は、本考案の一実施形態に係る旅券ケースに着装した複写物ケースを展開した状態を示す斜視図、図２は、本考案の一実施形態に係る旅券ホルダの一部をなす旅券ケースの斜視図、図３は、その旅券ホルダの一部をなす複写物ケースの斜視図、図４は、旅券ケースに着装した複写物ケースを閉じた状態を示す斜視図である。
【００１９】
本考案の一実施形態に係る旅券ホルダＨは、図１に示すように、旅券４０を収容するための旅券ケースＡ、旅券４０の複写物Ｃを収容するための複写物ケースＢ、及び一例に係る着脱用部材であるクリップ２５を有している。
【００２０】
旅券ケースＡは皮革製のものであり、図２に示すように、旅券４０を収容できる大きさの表カバー１０と裏カバー１１とを折り目１２を境にして二つ折り構造の横長方形に形成されている。
表カバー１０の内面１０ａには、その表カバー１０よりもやや小幅にした方形の皮革片１３を重ね合わせて、折り目１２に面する辺縁を除く３つの辺縁を縫着することにより、旅券４０の表表紙４０ａ（図１参照）を挿し入れるための挿入れ部１４を形成している。なお、１５は縫着した糸である。
【００２１】
皮革片１３の内面下角隅部には、その皮革片１３よりも小さい略方形の皮革片１６を重ね合わせて、２つの辺縁１６ａ，１６ｂを縫着することにより、小片入れ１７を形成している。
【００２２】
挿入れ部１４の皮革片１３には、その皮革片１３の上辺縁１３ａであって外端部近傍に、後述するクリップ２５を差し込むためのスリット１８が、クリップ２５の幅よりもやや広い横長にして形成されている。
これにより、スリット１３に挿入されたクリップ２５の挿入片２６は、表カバー１０の内面１０ａと、皮革片１３の外面との間で挟み込まれてしっかりと保持される。
【００２３】
裏カバー１１の内面１１ａには、その裏カバー１１よりもやや小幅にした方形の皮革片１９が重ね合わせられているとともに、折り目１２に面する辺縁を除く３つの辺縁を縫着することにより、旅券４０の裏表紙４０ｂ（図１参照）を挿し入れるための挿入れ部２０を形成している。なお、２８は縫着した糸である。
【００２４】
皮革片１９の下半部には、その皮革片１９よりも高さの低い略台形にした皮革片２１が重ね合わせられているとともに、３つの辺縁を縫着することにより、上方を開口した小片入れ２２を形成している。
【００２５】
ところで、クリップ２５は上記した旅券ケースＡと、後述する複写物ケースＢとを挟装できる程度の弾性力を有する金属製のものであり、スリット１８に挿入するための挿入片２６と、複写物ケースＢを押えるための押さえ片２７とを互いに平行かつ互いに密着するように曲成したものである。
【００２６】
本実施形態において「挟装」とは、挟んだ状態に備え付けることであり、具体的には、旅券ケースＡに複写物ケースＢをクリップ２５で挟んだ状態において、互いに位置ずれしない程度に弾性的に保持することを意味している。
挿入片２６は、押さえ片２７に比して１．５倍程度にやや長く延出させて形成しており、複写物ケースＢを安定して押さえておくことができるようにしている。
【００２７】
次に複写物ケースＢについて説明する。
図１，３に示すように、複写物ケースＢは旅券４０の複写物Ｃを収容するものであり、透明な塩化ビニールや再生ビニール等の合成樹脂製シートにより一体的に形成されている。
【００２８】
本実施形態においては、横長方形にした一枚の上記合成樹脂製シートに、表カバー３０と裏カバー３１との境となる境界位置、及び収容保持部となる保持片３２と表カバー３０、保持片３３と裏カバー３１とを区画する区画位置にそれぞれ折り目３４，３５，３６を上下辺縁間にわたり直線的に連続させて形成している。
保持片３２，３３は、表カバー３０，裏カバー３１の幅の約半分程度になっている。
【００２９】
上記の合成樹脂製シートを、保持片３２，３３をそれぞれ折り目３４，３６でそれぞれ内面側に折り曲げ、それら各保持片３２，３３の下辺縁３２ａ，３３ａを表カバー３０，裏カバー３１の各下辺縁に溶着することにより、表カバー３０，裏カバー３１の内面に、旅券４０の複写物Ｃを収容保持部３７，３８を配設した所期の複写物ケースＢを形成することができる。
この構成からなる複写物ケースＢは、これの上方からの旅券４０の複写物Ｃの出し入れが行えるようになるとともに、収容保持部３７，３８に差し込まれて収容されている旅券４０の複写物Ｃをしっかりと保持できるようになる。
「旅券の複写物」は、旅券４０を所持する者を特定することができる頁を複写したものであり、具体的には、所持者の写真を表示した頁を複写したものである。
【００３０】
図３に示すように、上述した複写物ケースＢに旅券４０の複写物Ｃを収容して２つ折りにするとともに、旅券ケースＡの表カバー１０と裏カバー１１との間に挟み込む。
そして、図４に示すように、クリップ２５の挿入片２６をスリット１８に挿入するのと同時に、押さえ片２７によって複写物ケースＢを皮革片１３との間に押えるようにする。
そして、旅券ケースＡの裏カバー１１を閉じることにより、複写物ケースＢは、旅券ケースＡに挟み込まれた状態でしっかりと弾性的に保持されて脱落することがない。
【００３１】
旅券４０の複写物Ｃを提示する必要が生じたときには、図１に示すように、旅券ケースＡをクリップ２５を中心として開き、従ってまた、旅券ケースＡに複写物ケースＢを着装した状態のまま、その複写物ケースＢに収容されている旅券４０の複写物Ｃを掲示確認することができる。
また、着装されている複写物ケースＢから旅券４０の複写物Ｃを取り出すか、旅券ケースＡから複写物ケースＢを取り外した後、旅券４０の複写物Ｃを取り出すようにして確認することもできる。
【００３２】
次に、第二の実施形態に係る旅券ホルダについて説明する。図５は、第二の実施形態に係る旅券ホルダの分解斜視図、図６は、他例に係る着脱用部材の断面図である。
第二の実施形態に係る旅券ホルダは、上述した第一の実施形態において説明したものと異なる着脱用部材を採用している点が異なるので、本実施形態においては着脱用部材について説明し、第一の実施形態において説明したものと同等のものには同一の符号を付して説明を省略する。
【００３３】
他例に係る着脱用部材５０は、互いに嵌合する一対の嵌合部５１，５２からなるジッパである。
嵌合部５１は、複写物ケースＢの上下辺縁間にわたる長さにした帯状のベース５３に凸条部５４を一体に形成したものである。また、嵌合部５２は、旅券ケースＡの上下辺縁間にわたる長さにした帯状のベース５５に凸条部５６を一体に形成したものである。
嵌合部５１は、複写物ケースＢの裏カバー３１の外面であって、外辺縁に沿って接着剤等によって接着されており、嵌合部５２は、旅券ケースＡの表カバー１０の内面であって外辺縁に沿って溶着されている。
【００３４】
図７は、他例に係る旅券ケースを示す斜視図である。
他例に係る旅券ケースＡ′は、上述した旅券ケースＡと同等の構成になっているものであるが、透明な塩化ビニールや再生ビニール等の合成樹脂製シートで形成している点が相違しており、旅券４０を収容できる大きさの表カバー６０と裏カバー６１とを折り目６２を境にして二つ折り構造の横長方形にして形成されている。
【００３５】
表カバー６０の内面には、その表カバー６０よりもやや小幅にした方形のシート片６３を重ね合わせて、折り目６２に面する辺縁を除く３つの辺縁を溶着することにより、旅券４０の表表紙４０ａを挿し入れるための挿入れ部６４を形成している。
【００３６】
シート片６３の内面下角隅部には、そのシート片６３よりも小さい略方形のシート片１５を重ね合わせて、２つの辺縁６５ａ，６５ｂを溶着することにより、小片入れ６６を形成している。
【００３７】
裏カバー６１の内面には、その裏カバー６１よりもやや小幅にした方形のシート片６７が重ね合わせられているとともに、折り目６２に面する辺縁を除く３つの辺縁を溶着することにより、旅券４０の裏表紙４０ｂを挿し入れるための挿入れ部６８を形成している。
【００３８】
シート片６７の下半部には、そのシート片６７よりも高さの低い略台形にしたシート片６９が重ね合わせられているとともに、３つの辺縁を溶着することにより、上方を開口した小片入れ７０を形成している。
【００３９】
また、本実施形態においては、裏カバー６１の内面を不透明な白色に印刷しているとともに、中央部に円形の視認孔７１を開口形成している。これにより、当該旅券ケースＡ′内に収容された日本国旅券４０の裏表紙の色彩を円形の視認孔７１を通じて外部から視認することができるようになり、日本国国旗の印象を懐かせることができる。
さらに、旅券４０の表カバー４０ａに描画されている菊花紋章や国旗等を外部から視認できる位置に円形にした視認用孔７１を形成してもよい。これにより、旅券に付されている国旗や紋章等を容易に確認することができる。
【００４０】
なお、本考案は前述した実施形態に限るものではなく、次のような変形実施が可能である。
（Ｉ）上述した実施形態においては、複写物ケースとして、塩化ビニールや再生ビニール等の透明な合成樹脂製のものを例として示したが、半透明や色彩を付した合成樹脂を用いることができる。また、合成樹脂製のものに限らず、例えば旅券ケースと同じ材質や紙等により形成してもよい。
【００４１】
（ＩＩ）また、複写物ケースを一枚の合成樹脂製シートにより形成したものについて示したが、表カバー、裏カバー、及び保持片を個々に成型しておき、これらを溶着等して所期の複写物ケースを構成するようにしてもよい。
（ＩＩＩ）本実施形態においては、クリップとして金属製のものを例として説明したが、同等の弾性力を有する合成樹脂製のものを採用することができる。
（ＩＶ）着脱用部材としてクリップとジッパを例として説明したが、これらに限るものではなく、例えば面ファスナ，スナップ，ホック等を採用することができる。
（Ｖ）上記した旅券ケースＡ′では、裏カバー６１の内面を不透明な白色に印刷している例について説明したが、これに限るものではなく、他の色彩に印刷してもよく、さらには色彩を必ずしも付さなくてもよい。
【図面の簡単な説明】
【００４２】
【図１】本考案の一実施形態に係る旅券ケースに着装した複写物ケースを展開した状態を示す斜視図である。
【図２】本考案の一実施形態に係る旅券ホルダの一部をなす旅券ケースの斜視図である。
【図３】同上の旅券ホルダの一部をなす複写物ケースの斜視図である。
【図４】旅券ケースに着装した複写物ケースを閉じた状態を示す斜視図である。
【図５】第二の実施形態に係る旅券ホルダの分解斜視図である。
【図６】他例に係る着脱用部材の断面図である。
【図７】他例に係る旅券ケースを示す斜視図である。
【符号の説明】
【００４３】
１８              スリット
２５              クリップ（着脱用部材）
３０              表カバー
３１              裏カバー
３２，３３        保持片
３４，３５，３６  折り目
３７，３８        収容保持部
４０              旅券
５０              ジッパ（着脱用部材）
５４              凸条部
５６              凹条部
Ａ                旅券ケース
Ｂ                複写物ケース
Ｈ                旅券ホルダ
【図１】
0003127878.tif 000003
【図２】
0003127878.tif 000004
【図３】
0003127878.tif 000005
【図４】
0003127878.tif 000006
【図５】
0003127878.tif 000007
【図６】
0003127878.tif 000008
【図７】
0003127878.tif 000009